【手続補正書】
【提出日】平成21年9月25日(2009.9.25)
【手続補正１】
【補正対象書類名】明細書
【補正対象項目名】特許請求の範囲
【補正方法】変更
【補正の内容】
【特許請求の範囲】
【請求項１】
シート搬送路上に複数のシート搬送機構を備え、該シート搬送機構によって搬送されたシートに画像を形成する画像形成装置において、
搬送速度を変速自在な第１のシート搬送機構と、
該第１のシート搬送機構の下流側に設けられ、一定の搬送速度でシートを搬送する第２のシート搬送機構と、
前記第１のシート搬送機構の下流近傍に設けられ、搬送中のシートの先端および後端を検知するセンサと、
該センサの検知結果に基づいて連続して搬送されるシート同士の時間間隔を測定する測定手段と、
該測定手段によって測定された時間間隔に基づき、前記第１のシート搬送機構の搬送速度を制御して、シート間隔を調整する間隔調整手段と、
を備えることを特徴とする画像形成装置。
【請求項２】
前記間隔調整手段は、
前記測定手段によって測定された時間間隔と、
前記センサから前記第２のシート搬送機構近傍までの距離に相等しい距離であって、前記第１のシート搬送機構によって前記一定の搬送速度と異なる搬送速度でシートを搬送可能な距離として予め定めた所定距離と、から、
前記第１のシート搬送機構の搬送速度および該搬送速度でシートが前記第１のシート搬送機構によって搬送される搬送時間を求めることを特徴とする請求項１に記載の画像形成装置。
【請求項３】
前記第１のシート搬送機構は、調整前のシート間隔が目標のシート間隔よりも長くなるタイミングでシートの搬送を開始し、
前記間隔調整手段は、
目標とするシート同士の時間間隔をｔ０、
前記測定手段によって測定された時間間隔をｔ、
前記所定距離をＬ、
前記第２のシート搬送機構の一定の搬送速度をｖｐ、
とした場合に、
前記第１のシート搬送機構の搬送速度ｖおよび該搬送速度ｖでシートが前記第１のシート搬送機構によって搬送される搬送時間Ｔを次式により求めることを特徴とする請求項２に記載の画像形成装置。
ｖ＝ｖｐ×Ｌ／｛Ｌ−ｖｐ（ｔ−ｔ０）｝
Ｔ＝｛Ｌ−ｖｐ（ｔ−ｔ０）｝／ｖｐ
【請求項４】
前記第１のシート搬送機構は、調整前のシート間隔が目標のシート間隔よりも短くなるタイミングでシートの搬送を開始し、
前記間隔調整手段は、
目標とするシート同士の時間間隔をｔ０、
前記測定手段によって測定された時間間隔をｔ、
前記所定距離をＬ、
前記第２のシート搬送機構の一定の搬送速度をｖｐ、
とした場合に、
前記第１のシート搬送機構の搬送速度ｖおよび該搬送速度ｖでシートが前記第１のシート搬送機構によって搬送される搬送時間Ｔを次式により求めることを特徴とする請求項２に記載の画像形成装置。
ｖ＝ｖｐ×Ｌ／｛ｖｐ（ｔ０−ｔ）＋Ｌ｝
Ｔ＝｛ｖｐ（ｔ０−ｔ）＋Ｌ｝／ｖｐ
【請求項５】
請求項４に記載の画像形成装置において、
前記間隔調整手段は、前記式によって求めた搬送速度ｖが前記第１のシート搬送機構の安定動作速度を下回り、前記第１のシート搬送機構を安定動作させることができない場合に、搬送速度ｖおよび搬送時間Ｔを次式のように設定して、前記第１のシート搬送機構を（ｔ０−ｔ）の時間停止させることを特徴とする画像形成装置。
ｖ＝０
Ｔ＝ｔ０−ｔ
【請求項６】
前記間隔調整手段は、
目標とするシート同士の時間間隔をｔ０、
前記測定手段によって測定された時間間隔をｔ、
前記所定距離をＬ、
前記第２のシート搬送機構の一定の搬送速度をｖｐ、
とした場合に、
ｔ＝ｔ０の場合には調整をせず、ｔ＜ｔ０またはｔ＞ｔ０の場合には、前記第１のシート搬送機構の搬送速度ｖおよび該搬送速度ｖでシートが前記第１のシート搬送機構によって搬送される搬送時間Ｔを次式により求めることを特徴とする請求項２に記載の画像形成装置。
ｔ＜ｔ０の場合：
ｖ＝ｖｐ×Ｌ／｛ｖｐ（ｔ０−ｔ）＋Ｌ｝
Ｔ＝｛ｖｐ（ｔ０−ｔ）＋Ｌ｝／ｖｐ
ｔ＞ｔ０の場合：
ｖ＝ｖｐ×Ｌ／｛Ｌ−ｖｐ（ｔ−ｔ０）｝
Ｔ＝｛Ｌ−ｖｐ（ｔ−ｔ０）｝／ｖｐ
【請求項７】
請求項６に記載の画像形成装置において、
前記間隔調整手段は、ｔ＜ｔ０であって、前記式によって求めた搬送速度ｖが前記第１のシート搬送機構の安定動作速度を下回り、前記第１のシート搬送機構を安定動作させることができない場合に、搬送速度ｖおよび搬送時間Ｔを次式のように設定して、前記第１のシート搬送機構を（ｔ０−ｔ）の時間停止させることを特徴とする画像形成装置。
ｖ＝０
Ｔ＝ｔ０−ｔ
【手続補正２】
【補正対象書類名】明細書
【補正対象項目名】０００９
【補正方法】変更
【補正の内容】
【０００９】
前記間隔調整手段は、
前記測定手段によって測定された時間間隔と、
前記センサから前記第２のシート搬送機構近傍までの距離に相等しい距離であって、前記第１のシート搬送機構によって前記一定の搬送速度と異なる搬送速度でシートを搬送可能な距離として予め定めた所定距離と、から、
前記第１のシート搬送機構の搬送速度および該搬送速度でシートが前記第１のシート搬送機構によって搬送される搬送時間を求めるとよい。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】変更
【補正の内容】
【００１１】
前記第１のシート搬送機構は、調整前のシート間隔が目標のシート間隔よりも長くなるタイミングでシートの搬送を開始し、
前記間隔調整手段は、
目標とするシート同士の時間間隔をｔ０、
前記測定手段によって測定された時間間隔をｔ、
前記所定距離をＬ、
前記第２のシート搬送機構の一定の搬送速度をｖｐ、
とした場合に、
前記第１のシート搬送機構の搬送速度ｖおよび該搬送速度ｖでシートが前記第１のシート搬送機構によって搬送される搬送時間Ｔを次式により求めるとよい。
ｖ＝ｖｐ×Ｌ／｛Ｌ−ｖｐ（ｔ−ｔ０）｝
Ｔ＝｛Ｌ−ｖｐ（ｔ−ｔ０）｝／ｖｐ
【手続補正５】
【補正対象書類名】明細書
【補正対象項目名】００１２
【補正方法】変更
【補正の内容】
【００１２】
また、前記第１のシート搬送機構は、調整前のシート間隔が目標のシート間隔よりも短くなるタイミングでシートの搬送を開始し、
前記間隔調整手段は、
目標とするシート同士の時間間隔をｔ０、
前記測定手段によって測定された時間間隔をｔ、
前記所定距離をＬ、
前記第２のシート搬送機構の一定の搬送速度をｖｐ、
とした場合に、
前記第１のシート搬送機構の搬送速度ｖおよび該搬送速度ｖでシートが前記第１のシート搬送機構によって搬送される搬送時間Ｔを次式により求めてもよい。
ｖ＝ｖｐ×Ｌ／｛ｖｐ（ｔ０−ｔ）＋Ｌ｝
Ｔ＝｛ｖｐ（ｔ０−ｔ）＋Ｌ｝／ｖｐ
【手続補正６】
【補正対象書類名】明細書
【補正対象項目名】００１３
【補正方法】変更
【補正の内容】
【００１３】
さらにこのとき、前記間隔調整手段は、前記式によって求めた搬送速度ｖが前記第１のシート搬送機構の安定動作速度を下回り、前記第１のシート搬送機構を安定動作させることができない場合に、搬送速度ｖおよび搬送時間Ｔを次式のように設定して、前記第１のシート搬送機構を（ｔ０−ｔ）の時間停止させるとなおよい。
ｖ＝０
Ｔ＝ｔ０−ｔ
【手続補正７】
【補正対象書類名】明細書
【補正対象項目名】００１４
【補正方法】変更
【補正の内容】
【００１４】
また、前記間隔調整手段は、
目標とするシート同士の時間間隔をｔ０、
前記測定手段によって測定された時間間隔をｔ、
前記所定距離をＬ、
前記第２のシート搬送機構の一定の搬送速度をｖｐ、
とした場合に、
ｔ＝ｔ０の場合には調整をせず、ｔ＜ｔ０またはｔ＞ｔ０の場合には、前記第１のシート搬送機構の搬送速度ｖおよび該搬送速度ｖでシートが前記第１のシート搬送機構によって搬送される搬送時間Ｔを次式により求めることも好適である。
ｔ＜ｔ０の場合：
ｖ＝ｖｐ×Ｌ／｛ｖｐ（ｔ０−ｔ）＋Ｌ｝
Ｔ＝｛ｖｐ（ｔ０−ｔ）＋Ｌ｝／ｖｐ
ｔ＞ｔ０の場合：
ｖ＝ｖｐ×Ｌ／｛Ｌ−ｖｐ（ｔ−ｔ０）｝
Ｔ＝｛Ｌ−ｖｐ（ｔ−ｔ０）｝／ｖｐ
【手続補正８】
【補正対象書類名】明細書
【補正対象項目名】００１５
【補正方法】変更
【補正の内容】
【００１５】
さらにこのとき、前記間隔調整手段は、ｔ＜ｔ０であって、前記式によって求めた搬送速度ｖが前記第１のシート搬送機構の安定動作速度を下回り、前記第１のシート搬送機構を安定動作させることができない場合に、搬送速度ｖおよび搬送時間Ｔを次式のように設定して、前記第１のシート搬送機構を（ｔ０−ｔ）の時間停止させるとなおよい。
ｖ＝０
Ｔ＝ｔ０−ｔ